(57)【要約】      （修正有）【課題】平面的な視覚効果のみしか感じられない切り絵や写真等のシート状額装体の額縁から、立体的な視覚を感じ、お気に入りの額装体を簡単容易に取り替えることも可能な重層構造額縁を提供する。【解決手段】外枠２の前面開口部に透明板３を設け、この外枠の空間に複数に分割された適宜の数のシート状額装体６、８、１０は差し込み切り欠け部を介して、適宜の数の内枠で仕切りながら、複数のシート状額装体を重層状に重ね合わせて、シート状額装体間に光が入射する空間による光と影がおりなす立体感が得られる構造とした。また、複数に分割されたシート状額装体は、挿入・挿脱自在に差し替えができる複数の差し込み切り欠け部を介して行うので、お気に入りの額装体を簡単容易に差し替えることも可能な構造とした。【選択図】図１
0003205831.tif 000002
【実用新案登録請求の範囲】
【請求項１】
前面と後面に開口部を有するとともに内部に複数の分割されたシート状額装体を重層状に一体連結して挿入・挿脱自在に差し替えできる複数の差し込み切り欠け部と空間部を有する外枠と、該外枠の前面開口部に設けられた透明板と、該複数の分割されたシート状額装体を仕切り、隣り合わす該シート状額装体間の空間幅と同じ厚み幅を有する複数の内枠と、該複数のシート状額装体を直接又は間接的に固定する裏押え板と、該裏押え板を止める回動可能な複数の爪部材とからなる重層構造額縁において、該複数の分割されたシート状額装体が視覚的には立体的な一つの額装体となるように該複数の差し込み切り欠け部を介して該空間部に重層状に一体連結して挿入・挿脱自在に差し込まれた構造であることを特徴とする重層構造額縁。
【請求項２】
前記空間部に、前記複数の分割されたシート状額装体の視覚効果を高める追加のシート状額装体であるバックシートが前記裏押え板の内側に接して設けられた構造であることを特徴とする請求項１記載の重層構造額縁。
【考案の詳細な説明】
【技術分野】
【０００１】    本考案は、平面的な視覚効果のみのシート状額装体を、複数に分割して、重層構造にすることにより立体的な視覚効果が得られ、さらに、お気に入りのシート状額装体を簡単に差し替えることもできる重層構造額縁に関する。
【背景技術】
【０００２】    従来の額縁では、平面的にしか見えなかった切り絵や写真等のシート状の額装体を、複数に分割して重層状に重ね合わせることにより、立体感が得られるようにした重層構造額縁に関する。【０００３】    この課題を解決するために、額縁内の奥行に飾り空間を設け、書画や写真等を立体的な装飾物と共に立体的に飾ることができるようにした提案（例えば、特許文献１参照）もされている。【０００４】    しかしながら、この額縁においては、飾り空間や仕切り面等の構造が複雑なため、立体的な装飾物の取り替えを簡単容易に行うことはできず課題は残されたままであった。
【先行技術文献】
【特許文献】
【０００５】
【特許文献１】  特開平１０−３３８０００号公報
【考案の概要】
【考案が解決しようとする課題】
【０００６】    従来の額縁では、切り絵や写真等のシート状の額装体では平面的な視覚効果のみしか感じられず、立体的な視覚効果を感じるには立体的な装飾物を飾る余分な空間が必要となり、この空間を設けると額縁の構造が複雑となり、お気に入りの額装体の取り替えは簡単容易にできなくなる。【０００７】    本考案は、前記の課題を解決し、平面的な視覚効果のみしか感じられない切り絵や写真等のシート状の額装体を用いて、立体的な視覚を感じられるとともに、お気に入りのシート状の額装体を簡単・容易に取り替えることもできる額縁を提供することを目的とする。
【課題を解決するための手段】
【０００８】    本考案は、前面と後面に開口部を有するとともに内部に複数の分割されたシート状額装体を重層状に一体連結して挿入・挿脱自在に差し替えできる複数の差し込み切り欠け部と空間を有する外枠と、該外枠の全面開口部に設けられた透明板と、該複数の分割されたシート状装飾体を仕切り、隣り合わす該シート状額装体間の空間幅と同じ厚み幅を有する複数の内枠と、該複数のシート状額装体を直接又は間接的に固定する裏押え板と、該裏押え板を止める回動可能な複数の爪部材とからなる構造の重層構造額縁とした。【０００９】    本考案の額縁の複数の分割されたシート状額装体は複数の差し込み切り欠け部を介して重層状に重ね合わせて挿入されていて、シート状額装体間に光が入射する空間の発生により、光と影がおりなす立体感が得られる。【００１０】    さらに、重層状に重ね合わせて挿入された複数の分割されたシート状額装体に加えて、これらの額装体の立体的な視覚効果を高めるバックシートを、複数の分割されたシート状額装体と裏押え板の間に挿入することにより、さらに立体的な視覚効果を高めた重層構造額縁を得る。
【考案の効果】
【００１１】    本考案によれば、一体であれば平面的にしか見えなかった切り絵や写真等のシート状額装体を複数に分割して、重層状に重ねることにより、シート状額装体間に光が入射する空間が発生し、光と影がおりなす立体感を得ることできるようになる。【００１２】    また、分割された複数のシート状額装体は、挿入・挿脱自在に差し替えができる複数の差し込み切り欠け部を介して、お気に入りの額装体を簡単・容易に差し替えすることもできる。【００１３】    さらに、分割された複数のシート状額装体と裏押え板の間に視覚効果を高めるバックシートを差し入れることにより、さらに立体的な視覚効果を高めることもできる。
【図面の簡単な説明】
【００１４】
【図１】  本考案の重層構造額縁の一例を示す正面図。
【図２】  本考案の重層構造額縁の一例を示す背面図。
【図３】  本考案の重層構造額縁の一例を示す上から見た断面の平面図。
【図４】  本考案の重層構造額縁の一例を示す横から見た断面の側面図。
【考案を実施するための形態】
【００１５】    図１は、本考案の重層構造額縁の一例を示す正面図であり、図２は本考案の重層構造額縁の一例を示す背面図であり、図３は本考案の重層構造額縁の一例を示す上から見た断面の平面図であり、図４は本考案の重層構造額縁の一例を示す横から見た側面図であり、以下図１〜４に従って詳細に説明する。
【実施例】
【００１６】    本考案の重層構造額縁１は、外枠２の前面開口部に透明板３を設け、この外枠の空間に、複数に分割されたシート状額装体を仕切る内枠の挿入と、複数に分割されたシート状額装体の差し込み切り欠け部４を介しての差し込みを、第１内枠５、第１シート状額装体６、第２内枠７、第２シート状額装体８、第３内枠９、第３シート状額装体１０、第４内枠１１の順に、順次交互に分割数に対応した適宜の回数繰り返えし、複数に分割されたシート状額装体を重層状に一体連結した重ね構造とする。【００１７】    また、複数に分割されたシート状額装体に加えて、視覚効果を高める額装体であるバックシート１２を複数に分割されたシート状額装体に一体連結して、第５内枠１３を合わせて外枠２に差し込めば、さらに多様性のある立体的な視覚効果を高めることもできる。【００１８】    次いで、適宜の数の分割されたシート状額装体やバックシートを、適宜の数の対応する内枠と接して外枠２に差し込んだ後、裏押え板１４で、この裏押え板を止める回動可能な適宜の数の爪部材１５で固定する。
【産業上の利用可能性】
【００１９】    本考案の重層構造額縁は、切り絵や写真等の平面的なシート状額装体のみならず、立体的な額装体への応用も容易であり、あらゆる額縁への対応が可能であるとともに、額縁のみならず、その他の装飾体や教育用教材等への活用も可能であり、広範囲にわたっての効果が期待されるものであるといえる。
【符号の説明】
【００２０】  １  重層構造額縁
２  外枠
３  透明板
４  差し込み切り欠け部
５  第１内枠
６  第１シート状額装体
７  第２内枠
８  第２シート状額装体
９  第３内枠
１０  第３シート状額装体
１１  第４内枠
１２  バックシート
１３  第５内枠
１４  裏押え板
１５  回動可能な爪部材
【図１】
0003205831.tif 000003
【図２】
0003205831.tif 000004
【図３】
0003205831.tif 000005
【図４】
0003205831.tif 000006